(57)【要約】【課題】接触式の測温部を少なくとも含む複数の測温部を備えた電子体温計で、いずれか一つの測温部のみ使用して体温測定を行う場合に、使用者への負担を増やすことなく熱的な外乱発生を防止でき、常に正確な体温測定が行えるカバー付き電子体温計を提供する。【解決手段】電子体温計１１の少なくとも一部がカバー部材１３により覆われるカバー付き電子体温計１００であって、電子体温計１１のそれぞれ異なる位置に配設され、接触式の測温部を少なくとも含む複数の測温部２５，３１と、複数の測温部のいずれか一つのみ使用して体温測定を行う制御部と、体温測定時に、体温測定に使用していない接触式の測温部２５を覆うカバー部材１３と、を備えた。【選択図】図４
2013170935.tif 000002
【特許請求の範囲】
【請求項１】
電子体温計の少なくとも一部がカバー部材により覆われるカバー付き電子体温計であって、
前記電子体温計のそれぞれ異なる位置に配設され、接触式の測温部を少なくとも含む複数の測温部と、
前記複数の測温部のいずれか一つのみ使用して体温測定を行う制御部と、
体温測定時に、体温測定に使用していない前記接触式の測温部を覆うカバー部材と、
を備えるカバー付き電子体温計。
【請求項２】
請求項１記載のカバー付き電子体温計であって、
前記複数の測温部が、接触式の第１の測温部と、非接触式の第２の測温部を含むカバー付き電子体温計。
【請求項３】
請求項２記載のカバー付き電子体温計であって、
前記第１の測温部が、棒状の前記電子体温計の一端部に設けられ、前記第２の測温部が、前記電子体温計の他端部に設けられ、
前記カバー部材が、少なくとも前記第１の測温部を覆うことを可能に配置されたカバー付き電子体温計。
【請求項４】
請求項３記載のカバー付き電子体温計であって、
前記カバー部材が、前記電子体温計の全体を覆うと共に、前記第２の測温部に対面して該第２の測温部を表出させるための測定用開口孔が形成されたカバー付き電子体温計。
【請求項５】
請求項２又は請求項３記載のカバー付き電子体温計であって、
前記カバー部材が、前記電子体温計の外周を覆う筒状に形成され、前記電子体温計の長手軸に沿って移動自在に支持されるカバー付き電子体温計。
【請求項６】
請求項５記載のカバー付き電子体温計であって、
前記カバー部材が、前記電子体温計の長手方向全長より短く、
前記カバー部材が前記第１の測温部を覆う第１の状態においては前記第２の測温部が表出し、
前記カバー部材が前記第２の測温部を覆う第２の状態においては前記第１の測温部が表出するカバー付き電子体温計。
【請求項７】
請求項５又は請求項６記載のカバー付き電子体温計であって、
前記電子体温計が、前記温度測定値を表示するための表示部を備え、
前記カバー部材が、前記表示部を表出させる表示用開口孔を有するカバー付き電子体温計。
【請求項８】
請求項５〜請求項７のいずれか一項記載のカバー付き電子体温計であって、
前記電子体温計が、前記第１の状態において表出する位置に発光部を備え、
前記制御部が、前記第２の測温部による体温測定値が予め定めた所定温度以上である場合に前記発光部を点灯させるカバー付き電子体温計。
【請求項９】
請求項８記載のカバー付き電子体温計であって、
前記カバー部材が、前記第１の状態において前記発光部を表出させる発光部開口孔を有するカバー付き電子体温計。
【請求項１０】
請求項１〜請求項９のいずれか一項記載のカバー付き電子体温計であって、
前記電子体温計が、該電子体温計と前記カバー部材との離脱を検出する離脱検知手段を備え、
前記制御部が、前記離脱検知手段により前記離脱が検出されたときに、前記第１の測温部を使用する温度測定モードに切り替えるカバー付き電子体温計。
【請求項１１】
請求項１〜請求項１０のいずれか一項記載のカバー付き電子体温計であって、
前記第２の測温部が、赤外線センサを用いて構成されるカバー付き電子体温計。
【請求項１２】
請求項１〜請求項１１のいずれか一項記載のカバー付き電子体温計であって、
前記カバー部材が、前記電子体温計の少なくとも一部が挿入される収納ケースであるカバー付き電子体温計。
【発明の詳細な説明】
【技術分野】
【０００１】
本発明は、カバー付き電子体温計に関する。
【背景技術】
【０００２】
一般的な実測式の電子体温計に加えて、予測式の電子体温計が広く使用されるようになっている（例えば、特許文献１）。予測式の電子体温計は、数十秒程度で測定した温度の温度上昇曲線の特徴により、平衡温度を予測演算して表示部に出力するもので、実測式よりも短時間で体温測定値が得られる。
また、複数の測温部を備え、被測定者の体温と、測温部位近傍の雰囲気温度をそれぞれ測定し、体温の予測演算を雰囲気温度に応じて補正することで、予測演算精度を高める電子体温計が提案されている（特許文献２）。
更に、赤外線センサを用いて、被測定者から放射される赤外線を検知し、被測定者の体温を非接触で瞬時に測定する電子体温計が提案されている（特許文献３）。
【先行技術文献】
【特許文献】
【０００３】
【特許文献１】特開昭５２−７５３８５号公報
【特許文献２】特開２００３−２５４８３６号公報
【特許文献３】特開２００５−２２４６１７号公報
【発明の概要】
【発明が解決しようとする課題】
【０００４】
短時間で体温測定を完了できる赤外線センサを用いた電子体温計は、体温測定を短時間で簡便に済ませたい場合に便利である。一方で、長い測定時間を要しても正確な体温を測定したい要求もある。
このようなことから、短時間で簡便に測定できる予備測定用の測温部と、詳細な体温を測定できる詳細測定用の測温部とが、共に一つの電子体温計に設けられ、いずれかの測温部を選択的に切り替えて使用可能にする電子体温計の実現が望まれる。
【０００５】
しかしながら、上記構成の電子体温計においては、体温の予備測定時に、接触式である詳細測定用の測温部が露出することになるため、測定直前に手で触れる等、予期しない熱的な外乱が詳細測定用の測温部に生じ得る。そのため、詳細測定用の測温部を用いて体温測定を実施するときに、前述した温度上昇曲線の形状が変化し、予測演算の精度低下を招くことがある。また、実測式で体温測定する場合も同様に、収束演算の精度低下を招くことがある。このため、使用者は電子体温計の取り扱いを慎重にする必要が生じ、電子体温計を使用する際に煩わしさを感じるようになる。
【０００６】
そこで本発明は、接触式の測温部を少なくとも含む複数の測温部を備えた電子体温計で、いずれか一つの測温部のみ使用して体温測定を行う場合に、使用者への負担を増やすことなく熱的な外乱発生を防止でき、常に正確な体温測定が行えるカバー付き電子体温計を提供することを目的とする。
【課題を解決するための手段】
【０００７】
本発明は、下記構成からなる。
電子体温計の少なくとも一部がカバー部材により覆われるカバー付き電子体温計であって、
前記電子体温計のそれぞれ異なる位置に配設され、接触式の測温部を少なくとも含む複数の測温部と、
前記複数の測温部のいずれか一つのみ使用して体温測定を行う制御部と、
体温測定時に、体温測定に使用していない前記接触式の測温部を覆うカバー部材と、
を備えるカバー付き電子体温計。
【発明の効果】
【０００８】
本発明によれば、接触式の測温部を少なくとも含む複数の測温部を備えた電子体温計で、いずれか一つの測温部のみ使用して体温測定を行う場合に、使用者への負担を増やすことなく熱的な外乱発生を防止できる。これにより、常に正確な体温測定が行える。
【図面の簡単な説明】
【０００９】
【図１】本発明の実施形態を説明するための図で、収納ケース付き電子体温計の外観図である。
【図２】電子体温計の分解斜視図である。
【図３】電子体温計の機能ブロック構成図である。
【図４】（Ａ）は電子体温計が収納された収納ケース付き電子体温計の一部断面正面図、（Ｂ）は同収納ケース付き電子体温計の一部断面側面図である。
【図５】（Ａ）は電子体温計が収納された収納ケース付き電子体温計の一部断面正面図、（Ｂ）は同収納ケース付き電子体温計の一部断面側面図である。
【図６】カバー部材付き電子体温計で、予備測定時の状態を示す外観斜視図、（Ｂ）は同カバー部材付き電子体温計で、詳細測定時の状態を示す外観斜視図である。
【図７】係合手段を示す概略的な構成図である。
【図８】（Ａ）はカバー部材付き電子体温計で、予備測定時の状態を示す外観斜視図、（Ｂ）は同カバー部材付き電子体温計で、詳細測定時の状態を示す外観斜視図である。
【図９】図８（Ａ），（Ｂ）に示す電子体温計の機能ブロック図である。
【発明を実施するための形態】
【００１０】
以下、本発明の実施形態について、図面を参照して詳細に説明する。
＜第１の態様＞
図１は本発明の実施形態を説明するための図で、収納ケース付き電子体温計の外観図である。
収納ケース付き電子体温計１００は、電子体温計１１と、電子体温計１１が挿入される収納ケース１３で構成される。収納ケース１３は、ケース本体１５と蓋体１７からなり、ケース本体１５内に電子体温計１１を長手方向へ挿入することで電子体温計１１を収納する。
【００１１】
図２は電子体温計１１の分解斜視図である。電子体温計１１は、本体ケース２１、サブアセンブリ２３、第１の測温部２５、キャップ２７を備える。第１の測温部２５はリード線２９を通じてサブアセンブリ２３と接続される。サブアセンブリ２３は、第２の測温部３１と、表示部３３と、スイッチ部３５と、報知部３７とを有し、内部に設けられた図示しない制御回路基板（制御部）が各部を制御する。
【００１２】
第１の測温部２５は、いわゆるラジアルリード型のサーミスタ３９を有し、サーミスタ３９はリード線２９を通じて制御回路基板に接続される。第２の測温部３１は、非接触で温度測定可能な赤外線センサ４１を有する。
【００１３】
第１の測温部２５は、詳細測定用の測温部であり、予測式にて体温測定に使用される。予測式とは、被測定部と熱的な平衡状態が得られる前に、所定の演算によって平衡状態における温度を推定した温度推定値を温度測定値として求める方式である。第２の測温部３１は、短時間で簡便に行える予備測定用の測温部である。
【００１４】
第１の測温部２５は、棒状の電子体温計１１の先細に形成された先端の一端部に設けられ、第２の測温部３１は、電子体温計１１の先端とは反対側の他端部に設けられる。これら測温部２５，３１は、同時に使用されることはなく、いずれか一つの測温部が単独で、一回の体温測定において選択的に使用される。
【００１５】
本体ケース２１は、射出成形により中空筒状に形成された熱可塑性の樹脂材料からなる。樹脂材料としては、例えばＡＢＳ(アクリロニトリル−ブタジエン−スチレン共重合体）樹脂等が挙げられる。本体ケース２１は、サブアセンブリ２３が挿入されたときに表示部３３と対面する位置に表示窓４３を有し、第２の測温部３１と対面する位置に集光レンズ等を含む検出窓４５を有する。検出窓４５の集光レンズは、被測定者からの赤外線を赤外線センサ４１に集光させる。本体ケース２１の先端には、サーミスタ３９と接続される先端キャップ４７が配置される。先端キャップ４７は、例えばステンレス合金等の金属材料からなり、有底筒状に構成されている。
【００１６】
キャップ２７は、サブアセンブリ２３のスイッチ部３５を押下するための操作ボタン４９を有し、外部からの操作ボタン４９への押下動作がスイッチ部３５に伝わるようなっている。
【００１７】
図３に電子体温計の機能ブロック構成図を示した。
電子体温計１１は、その機能ブロックとして、制御回路基板である制御部５１と、メモリ部５３と、ボタン電池等の電源部５５と、収納ケースの離脱を検出する離脱検知部５７と、前述の第１の測温部２５、第２の測温部３１、報知部３７、表示部３３を備える。
【００１８】
制御部５１は、例えばＣＰＵ(Central Processing Unit)を含む回路から構成される。制御部５１は電子体温計１１の全体を制御する。メモリ部５３は、例えばＲＯＭ(Read-Only Memory)，ＲＡＭ(Random-Access Memory)等から構成される。メモリ部５３は、体温測定のための処理手順を制御部５１等に実行させるためのプログラムを記憶したり、測定結果を記憶したりする。
【００１９】
報知部３７は、例えばブザーにより構成され、体温測定が終了したこと、使用者の操作を受け付けたこと等を使用者に知らせる。
【００２０】
表示部３３は、例えばＬＣＤ（Liquid Crystal Display)等の表示パネルから構成され、体温測定結果等を表示する。
【００２１】
スイッチ部３５は、被測定者による操作を受け付けて、この操作による外部からの命令を制御部５１及び電源部５５に入力する。
【００２２】
上記構成の電子体温計１１は、収納ケース１３に収納される。
図４（Ａ）は電子体温計が収納された収納ケース付き電子体温計の一部断面正面図、（Ｂ）は同収納ケース付き電子体温計の一部断面側面図である。
図４（Ａ），（Ｂ）に示すように、収納ケース１３は、電子体温計１１が内部に収納された状態で、第１の測温部２５を覆い、第２の測温部３１を表出させる。即ち、蓋体１７は、第２の測温部３１と対面する位置に測定用開口孔６１を有し、第２の測温部３１を検出窓４５を通じて表出させている。また、収納ケース１３は、表示部３３（表示窓４３）に対面する位置に表示用開口孔６３を有し、表示部３３（表示窓４３）を表出させている。
【００２３】
操作ボタン４９は、蓋体１７に設けたスイッチ片６５に接触し、スイッチ片６５を押下することで、操作ボタン４９に押下動作が伝わるようになっている。
【００２４】
図４（Ｂ）に示すように、電子体温計１１の一部には、ケース本体１５が電子体温計１１から取り外されたことを検知するための離脱検知部５７が設けてある。離脱検知部５７は、ケース本体１５側に設けた永久磁石６７の磁力を検出する磁気センサからなり、ケース本体１５が電子体温計１１から離脱されたか否かを検出する。離脱検知部５７は、磁気を利用した検出方法以外にも、静電式センサや光センサ、又は他の接触式・非接触式センサを用いた構成としてもよい。
【００２５】
次に、上記した電子体温計１１の使用手順の一例を説明する。
電子体温計１１は、収納ケース１３に挿入された状態で、短時間で簡便に体温測定できる予備測定を行い、その後、予備測定による体温測定結果に応じて、同一の電子体温計１１により続けて詳細測定を行うことを可能にする。
【００２６】
収納ケース付き電子体温計１００を、第２の測温部３１を被測定者のこめかみ等の被測定部に押し当てた状態で、第２の測温部３１を用いた予備測定を行う。このとき、使用者は、蓋体１７のスイッチ片６５を押下操作して、電子体温計１１の操作ボタン４９をＯＮにする。すると電子体温計１１の制御部５１（図３）は、スイッチ部３５からの押下信号を受けて、予備測定モードでの体温測定の制御を開始する。このとき、第１の測温部２５は収納ケースに覆われており、使用者が第１の測温部２５に直接触れることがない。
【００２７】
制御部５１は、予測式にて予備測定モードの体温測定を行い、体温測定の結果を表示部３３に表示する。使用者は、表示部３３に表示される体温測定値を確認して、体温の詳細測定を必要に応じて実施する。例えば、予備測定で平熱であったと確認できれば、詳細測定は必要ないとして実施しない。
【００２８】
詳細測定を行う場合は、使用者は収納ケース１３から電子体温計１１を取り出す。すると、離脱検知部５７が、ケース本体１５からの離脱を検知して、制御部５１に離脱信号を出力する。制御部５１は、この離脱信号を受けて、体温測定に使用する測温部を第２の測温部３１から第１の測温部２５に切り替える。つまり、電子体温計１１を収納ケース１３から取り出すと、自動的に詳細測定の測定準備モードに入る。
【００２９】
そして、使用者は、電子体温計１１の第１の測温部２５を被測定者の脇下又は舌下に挟み、体温の詳細測定を行う。制御部５１は、第１の測温部２５からの測定温度の変化量が所定値以上となると、測定準備モードを詳細測定モードに切り替えて、詳細測定による所定の手順を進める。制御部５１は、第１の測温部２５からの温度検出値を表示部３３に表示し、温度上昇が平衡状態となったときに報知部３７からブザーを発生させる。
【００３０】
このように、本構成の収納ケース付き電子体温計によれば、体温測定を行う際、体温測定に使用しない第１の測温部２５が収納ケース１３により覆われるため、使用者が第１の測温部２５に触れる等、熱的な外乱を生じることを未然に防止できる。その結果、第１の測温部２５により測定される温度測定値が熱的外乱の影響を受けて変動することがなくなり、温度上昇が平衡状態に到達したかを正確に判定できる。よって、体温の測定精度を高く維持できる。
【００３１】
また、使用者は、電子体温計を取り扱う際に、使用しない測温部に触れないよう気を付ける等、煩わしさを感じることがない。そして、最初に行う体温の予備測定は、収納ケースに収納した状態のまま行えるため、体温測定を迅速に、かつ簡単な操作で手軽に実施できる。
【００３２】
更に、電子体温計が複数の測温部を備えるため、一方の測温部が故障等の何らかの原因で機能しなくなった場合でも、他方の測温部により体温測定を行うことができる。また、様々な場面において必要とされる測定方式に応じて、最適に使い分けることも可能となる。
【００３３】
なお、上記構成例では、収納ケースで第１の測温部２５を覆っているが、以降に説明する構成例を含め、収納ケースに限らず、電子体温計１１の外側の一部のみに設けたカバー部材としてもよい。その場合、体温の予備測定を行う場合には、詳細測定用の第１の測温部を覆うようにカバー部材を配置することで、熱的外乱が第１の測温部に導入されることを防止できる。収納ケース、カバー部材は、樹脂材料等の熱伝導率の低い材料等、断熱性の高い材料で構成することが好ましい。
【００３４】
＜第２の態様＞
図５（Ａ）は電子体温計が収納された収納ケース付き電子体温計の一部断面正面図、（Ｂ）は同収納ケース付き電子体温計の一部断面側面図である。図５（Ａ），（Ｂ）に示すように、収納ケース１３Ａは、電子体温計１１の全長より短く、蓋体を有しない他は、図４に示す収納ケース１３と同様の構成である。
【００３５】
本構成の収納ケース付き電子体温計２００によれば、収納ケース１３Ａが、前述の収納ケース１３と同様に、電子体温計１１を収納した状態で、予備測定に必要となる第２の測温部３１が表出している。このため、予備測定をそのままの状態で簡単に開始できる。また、収納ケース１３Ａの構成が簡略化されて低コストとなる。更に、収納ケース１３Ａが蓋体のない一体型であるため、取り扱い性を向上できる。
【００３６】
＜第３の態様＞
図６（Ａ）はカバー付き電子体温計で、予備測定時の状態を示す外観斜視図、（Ｂ）は同カバー付き電子体温計で、詳細測定時の状態を示す外観斜視図である。
図６（Ａ）に示すように、本構成のカバー付き電子体温計３００においては、カバー部材１４が、電子体温計１１の外周を覆う筒状に形成され、電子体温計１１の長手軸に沿って移動自在に支持されている。カバー部材１４は、電子体温計１１の長手方向全長より短く、電子体温計１１の第１の測温部２５を覆う第１の状態においては、第２の測温部３１を表出させる。また、図６（Ｂ）に示すように、カバー部材１４が第２の測温部３１を覆う第２の状態においては、第１の測温部２５を表出させる。
【００３７】
カバー部材１４と電子体温計１１とは、上記の第１の状態及び第２の状態で、相互に固定するための係合手段を備える。カバー部材１４の係合手段７１Ａ，７１Ｂは、カバー部材１４の内壁面の長手軸方向２箇所に設けられ、電子体温計１１側には外周面の１箇所に設けられている。
【００３８】
係合手段は、例えば図７に示すように、電子体温計１１の側面の一部に設けた突起７３と、この突起７３と係合する凸部７５，７７からなる。カバー部材１４は、電子体温計１１の長手軸に沿って相対移動させると、凸部７５，７７の間に突起７３が嵌り込み、電子体温計１１の長手軸に対して固定される。また、カバー部材１４は、電子体温計１１に対して長手軸方向に押されることで、凸部７５，７７から突起７３が外れて電子体温計１１との固定状態が解除される。
【００３９】
つまり、係合手段は、カバー部材１４を電子体温計１１に対して長手軸に沿って移動させ、その移動先で第１の状態又は第２の状態に固定できる。なお、上記係合手段の構成は一例であって、他の機構を用いたものであってもよい。
【００４０】
カバー部材１４には、図６（Ａ）に示す第１の状態で、電子体温計１１の表示部３３を、表示窓４３を通じてケース外側に表出する第１の表示用開口孔７９が形成されている。また、図６（Ｂ）に示す第２の状態で、電子体温計１１の表示部３３を、表示窓４３を通じてカバー外側に表出する第２の表示用開口孔８１が形成されている。
【００４１】
カバー部材１４は、前述した電子体温計１１の離脱検知部が検知する永久磁石（図示略）が備わる。永久磁石は、図６（Ａ）に示す第１の状態で離脱検知部と相互に対面する、カバー部材１４の内側に配置される。
【００４２】
上記構成のカバー付き電子体温計３００においては、次のように操作する。まず、電子体温計１１の使用者が、図６（Ａ）に示す第１の状態で、前述したように第２の測温部３１を被測定者のこめかみ等に押し当てる。その状態で、使用者又は被測定者が操作ボタン４９を押下すると、体温の予備測定が開始される。予備測定の結果は表示部３３に表示され、使用者は、その測定結果に応じて詳細測定を行うか否かを判断する。詳細測定を行う場合は、図６（Ｂ）に示すように、カバー部材１４を電子体温計１１の軸線に沿って移動させて第２の状態で固定する。
【００４３】
使用者は、この第２の状態で体温の詳細測定を行う。なお、詳細測定の開始タイミングは、図示しない離脱検知部が、カバー部材１４の電子体温計１１からの離脱を検知したタイミングとする。つまり、使用者が予備測定を行い、測定結果を確認して詳細測定を行う際、カバー部材１４を第１の状態から第２の状態に移動させるだけで、電子体温計１１による詳細測定が開始される。また、第１、第２の状態のいずれであっても、第１の表示用開口孔７９又は第２の表示用開口孔８１を通じて表示部３３を視認できる。
【００４４】
本構成においても、第２の測温部３１を使用して予備測定を行うときに、カバー部材１４が第１の測温部２５を覆い、第１の測温部２５を使用して詳細測定を行うときに、カバー部材１４が第２の測温部３１を覆う。そのため、前述同様に、使用者が予備測定時に第１の測温部２５に触れることを防止でき、詳細測定時に第１の測温部２５に熱的な外乱が導入されることがない。よって、常に正確な体温測定が行える。
【００４５】
＜第４の態様＞
図８（Ａ）はカバー部材付き電子体温計で、予備測定時の状態を示す外観斜視図、（Ｂ）は同カバー部材付き電子体温計で、詳細測定時の状態を示す外観斜視図である。
図８（Ａ）に示すように、本構成のカバー付き電子体温計４００においては、電子体温計１１の表示窓４３より第１の測温部２５側に、発光部８３を設けてある。また、カバー部材１４Ａは、発光部８３を表出する発光部開口孔８５が前述の第１の表示用開口孔７９に代えて形成されている。その他の構成は、図８（Ａ），（Ｂ）に示すカバー部材付き電子体温計と同様である。
【００４６】
図９は図８（Ａ），（Ｂ）に示す電子体温計の機能ブロック図である。本構成においては、制御部５１は、予備測定終了後、体温測定値が予め定めた所定温度以上の場合に、発光部８３を点灯させて、詳細測定の実施を使用者に促す。
【００４７】
本構成においては、図８（Ａ）に示す第１の状態で予備測定を行い、測定体温値が予め定めた所定温度以上であった場合、制御部５１は発光部８３を点灯させる。使用者は、予備測定後に発光部８３が点灯した場合に詳細測定を実施する。また、点灯しないときは平熱であったと判断する。
【００４８】
このように、使用者は予備測定による測定体温値から、詳細測定の要否、即ち平熱か否かを判断する必要がなくなり、使用者の負担を軽減して簡単に体温測定を実施できる。発光部８３は、点灯色を緑色等の視認性の高い特定色にしたり、点滅を繰り返して視認性を高めたりする他、「詳細測定して下さい」等の文字情報を表示する等、種々の表示形態であってもよい。
【００４９】
詳細測定時においては、使用者はカバー部材１４Ａを電子体温計１１の長手軸に沿って移動させ、図８（Ｂ）に示す第２の状態で体温測定する。このとき、表示用開口孔８１から表示部３３が表示窓４３を通じて表出される。表示部３３には、詳細測定による体温測定値が表示される。
【００５０】
このように、本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
例えば、上記例のように測温部が２箇所である他にも、３箇所以上であってもよい。その場合でも、使用しない測温部がカバー部材（収納ケース）により覆われることで、当該使用しない測温部が体温測定に使用される際、この測温部に熱的な外乱が導入されていることがない。
【００５１】
また、本構成の電子体温計は、第１の測温部がサーミスタで構成され、第２の測温部が赤外線センサで構成されているが、これら温度センサは、他の検出方式による温度センサを使用してもよい。また、体温測定方式としては、例えば、第１の測温部を用いて実測式にて体温測定してもよい。いずれの電子体温計の構成であっても、体温測定の場面に応じて最適なセンサを搭載し、最適な体温測定方式で測定すればよい。
【００５２】
以上の通り、本明細書には次の事項が開示されている。
（１）  電子体温計の少なくとも一部がカバー部材により覆われるカバー付き電子体温計であって、
前記電子体温計のそれぞれ異なる位置に配設され、接触式の測温部を少なくとも含む複数の測温部と、
前記複数の測温部のいずれか一つのみ使用して体温測定を行う制御部と、
体温測定時に、体温測定に使用していない前記接触式の測温部を覆うカバー部材と、
を備えるカバー付き電子体温計。
（２）  （１）のカバー付き電子体温計であって、
前記複数の測温部が、接触式の第１の測温部と、非接触式の第２の測温部を含むカバー付き電子体温計。
（３）  （２）のカバー付き電子体温計であって、
前記第１の測温部が、棒状の前記電子体温計の一端部に設けられ、前記第２の測温部が、前記電子体温計の他端部に設けられ、
前記カバー部材が、少なくとも前記第１の測温部を覆うことを可能に配置されたカバー付き電子体温計。
（４）  （１）又は（２）のカバー付き電子体温計であって、
前記カバー部材が、前記電子体温計の全体を覆うと共に、前記第２の測温部に対面して該第２の測温部を表出させるための測定用開口孔が形成されたカバー付き電子体温計。
（５）  （２）又は（３）のカバー付き電子体温計であって、
前記カバー部材が、前記電子体温計の外周を覆う筒状に形成され、前記電子体温計の長手軸に沿って移動自在に支持されるカバー付き電子体温計。
（６）  （５）のカバー付き電子体温計であって、
前記カバー部材が、前記電子体温計の長手方向全長より短く、
前記カバー部材が前記第１の測温部を覆う第１の状態においては前記第２の測温部が表出し、
前記カバー部材が前記第２の測温部を覆う第２の状態においては前記第１の測温部が表出するカバー付き電子体温計。
（７）  （５）又は（６）のカバー付き電子体温計であって、
前記電子体温計が、前記温度測定値を表示するための表示部を備え、
前記カバー部材が、前記表示部を表出させる表示用開口孔を有するカバー付き電子体温計。
（８）  （５）〜（７）のいずれか一つのカバー付き電子体温計であって、
前記電子体温計が、前記第１の状態において表出する位置に発光部を備え、
前記制御部が、前記第２の測温部による体温測定値が予め定めた所定温度以上である場合に前記発光部を点灯させるカバー付き電子体温計。
（９）  （８）のカバー付き電子体温計であって、
前記カバー部材が、前記第１の状態において前記発光部を表出させる発光部開口孔を有するカバー付き電子体温計。
（１０）  （１）〜（９）のいずれか一つのカバー付き電子体温計であって、
前記電子体温計が、該電子体温計と前記カバー部材との離脱を検出する離脱検知手段を備え、
前記制御部が、前記離脱検知手段により前記離脱が検出されたときに、前記第１の測温部を使用する温度測定モードに切り替えるカバー付き電子体温計。
（１１）  （１）〜（１０）のいずれか一つのカバー付き電子体温計であって、
前記第２の測温部が、赤外線センサを用いて構成されるカバー付き電子体温計。
（１２）  （１）〜（１１）のいずれか一つのカバー付き電子体温計であって、
前記カバー部材が、前記電子体温計の少なくとも一部が挿入される収納ケースであるカバー付き電子体温計。
【符号の説明】
【００５３】
１１  電子体温計
１３，１３Ａ  収納ケース
１４，１４Ａ  カバー部材
２５  第１の測温部
３１  第２の測温部
３３  表示部
３９  サーミスタ
４１  赤外線センサ
４３  表示窓
４５  検出窓
４９  操作ボタン
５１  制御部
５７  離脱検知部
６１  測定用開口孔
６３  表示用開口孔
６７  離脱検知センサ
６９  永久磁石
７１  係合手段
７９  第１の表示用開口孔
８１  第２の表示用開口孔
８３  発光部
８５  発光部開口孔
１００，２００  収納ケース付き電子体温計（カバー付き電子体温計）
３００，４００  カバー付き電子体温計
【図１】
2013170935.tif 000003
【図２】
2013170935.tif 000004
【図３】
2013170935.tif 000005
【図４】
2013170935.tif 000006
【図５】
2013170935.tif 000007
【図６】
2013170935.tif 000008
【図７】
2013170935.tif 000009
【図８】
2013170935.tif 000010
【図９】
2013170935.tif 000011